(57)【要約】【課題】  本発明は、プラズマ処理チャンバの一貫性した結果を保持するために、チャンバ・ハードウェア部品の正しいアセンブリを確認しかつチャンバ・プラズマ処理システムを故障診断修理するために高速かつ正確な方法を提供する。【解決手段】  本発明の方法は、チャンバ、ＲＦ電源、及び整合ネットワークを有しているプラズマ処理システムを試験する。ＲＦ電力信号は、チャンバ内のプラズマを点火することなくＲＦ電源からチャンバに生成される。チャンバで受け取った、ＲＦ電力信号の電圧、ＲＦ電力信号の電流、及びＲＦ電力信号の位相が測定され、同時にチャンバ係数に影響を及ぼすその他のパラメータが保持される。チャンバのインピーダンスを表す値は、電圧、電流、及び位相に基づき計算される。次いで、値は、プラズマ処理システムにおける欠陥を決定するために基準値と比較される。基準値は、欠陥なしチャンバのインピーダンスを表す。
2006501611.tif 000002
【特許請求の範囲】
【請求項１】
チャンバ、ＲＦ電源、及び整合ネットワークを有しているプラズマ処理システムを試験する方法であって、
チャンバ内のプラズマを点火することなくＲＦ電源からチャンバにＲＦ電力信号を生成する段階と、
チャンバから受け取った、前記ＲＦ電力信号の電圧、該ＲＦ電力信号の電流、及び該ＲＦ電力信号の位相を測定すると同時に前記チャンバ係数に影響を及ぼすその他のパラメータを保持する段階と、
前記電圧、前記電流、及び前記位相に基づき前記チャンバのインピーダンスを表す値を計算する段階と、及び
プラズマ処理システムにおける欠陥を決定するために前記値を、欠陥なしチャンバのインピーダンスを表す基準値と比較する段階と
を具備する方法。
【請求項２】
前記値が前記基準値の少なくとも約１０％以内ではないときに前記プラズマ処理システムを検査する段階を更に具備する請求項１に記載の方法。
【請求項３】
前記ＲＦ電力信号は、高周波電力を含む請求項１に記載の方法。
【請求項４】
前記ＲＦ電力信号は、低周波電力を含む請求項１に記載の方法。
【請求項５】
前記生成する段階は、前記ＲＦ電力信号のインピーダンスを前記チャンバのインピーダンスに整合する段階を更に具備する請求項１に記載の方法。
【請求項６】
複数のプラズマ処理チャンバをツールマッチする方法であって、
各チャンバ内のプラズマを点火することなく各チャンバに対してＲＦ電力信号を生成する段階と、
各チャンバで受け取った、前記ＲＦ電力信号の電圧、該ＲＦ電力信号の電流、及び該ＲＦ電力信号の位相を測定すると同時に前記チャンバ係数に影響を及ぼすその他のパラメータを保持する段階と、
前記電圧、前記電流、及び前記位相に基づき各チャンバに対するインピーダンスを表す値を計算する段階と、及び
各チャンバに対する前記値を他のチャンバと比較する段階と
を具備する方法。
【請求項７】
チャンバの値が他のチャンバの平均値から少なくとも約１０％ずれているときにプラズマ処理チャンバを分離する段階を更に具備する請求項６に記載の方法。
【請求項８】
前記電力は、高周波電力を含む請求項６に記載の方法。
【請求項９】
前記電力は、低周波電力を含む請求項６に記載の方法。
【請求項１０】
前記生成する段階は、前記ＲＦ電力信号のインピーダンスを各チャンバの前記インピーダンスに整合する段階を更に具備する請求項６に記載の方法。
【請求項１１】
無プラズマ・チャンバ、ＲＦ電力信号を生成するＲＦ電源、及び整合ネットワークを有しているプラズマ処理システムを試験する装置であって、
無プラズマ・チャンバに接続され、該無プラズマ・チャンバで受け取ったＲＦ電力信号の電圧、電流、及び位相角を測定すると同時にチャンバ係数に影響を及ぼす他のパラメータを保持するセンサと、及び
前記センサに接続され、前記電圧，前記電流、及び前記位相に基づきチャンバのインピーダンスを表す値を計算し、かつ前記プラズマ処理システムにおける欠陥を決定するために前記値を、欠陥なしチャンバのインピーダンスを表す基準値と比較するコンピュータ・システムとを備えている装置。
【請求項１２】
前記コンピュータ・システムは、前記値が前記基準値の少なくとも約１０％以内にないときに警告を発する請求項１１に記載の装置。
【請求項１３】
前記ＲＦ電力信号は、高周波電力を含む請求項１１に記載の装置。
【請求項１４】
前記ＲＦ電力信号は、低周波電力を含む請求項１１に記載の装置。
【請求項１５】
チャンバ、ＲＦ電源、及び整合ネットワークを有しているプラズマ処理システムを試験する装置であって、
チャンバ内のプラズマを発火することなくＲＦ電源からチャンバにＲＦ電力信号を生成する手段と、
チャンバで受け取った前記ＲＦ電力信号の電圧、前記ＲＦ電力信号の電流、及び前記ＲＦ電力信号の位相を測定すると同時にチャンバ係数に影響を及ぼす他のパラメータを保持する手段と、
前記電圧、前記電流、及び前記位相に基づきチャンバのインピーダンスを表す値を計算する手段と、及び
前記プラズマ処理システムにおける欠陥を決定するために前記値を、欠陥なしチャンバのインピーダンスを表す基準値と比較する手段とを備えている装置。
【請求項１６】
複数のプラズマ処理チャンバをツールマッチする装置であって、
各チャンバ内のプラズマを発火することなく各チャンバに対してＲＦ電力信号を生成する手段と、
各チャンバで受け取った前記ＲＦ電力信号の電圧、前記ＲＦ電力信号の電流、及び前記ＲＦ電力信号の位相を測定すると同時にチャンバ係数に影響を及ぼす他のパラメータを保持する手段と、
前記電圧、前記電流、及び前記位相に基づき各チャンバに対するインピーダンスを表す値を計算する手段と、及び
各チャンバに対する前記値をその他のチャンバと比較する手段とを備えている装置。
【請求項１７】
チャンバ、ＲＦ電源、及び整合ネットワークを有しているプラズマ処理システムを試験する方法を実行するためにマシンによって実行可能命令のプログラムを具体的に取り入れている、マシンによって読取り可能なプログラム記憶装置において、前記方法は、
チャンバ内のプラズマを点火することなくＲＦ電源からチャンバにＲＦ電力信号を生成する段階と、
チャンバで受け取った、前記ＲＦ電力信号の電圧、該ＲＦ電力信号の電流、及び該ＲＦ電力信号の位相を測定すると同時に前記チャンバ係数に影響を及ぼすその他のパラメータを保持する段階と、
前記電圧、前記電流、及び前記位相に基づきチャンバのインピーダンスを表す値を計算する段階と、及び
プラズマ処理システムの欠陥を決定するために前記値を、欠陥なしチャンバのインピーダンスを表す基準値と比較する段階と
を具備する方法。
【請求項１８】
複数のプラズマ処理チャンバをツールマッチする方法を実行するためにマシンによって実行可能命令のプログラムを具体的に取り入れている、マシンによって読取り可能なプログラム記憶装置において、前記方法は、
各チャンバ内のプラズマを点火することなく各チャンバに対してＲＦ電力信号を生成する段階と、
各チャンバで受け取った、前記ＲＦ電力信号の電圧、該ＲＦ電力信号の電流、及び該ＲＦ電力信号の位相を測定すると同時に前記チャンバ係数に影響を及ぼすその他のパラメータを保持する段階と、
前記電圧、前記電流、及び前記位相に基づき各チャンバに対するインピーダンスを表す値を計算する段階と、及び
各チャンバに対する前記値を他のチャンバと比較する段階と
を具備する方法。
【発明の詳細な説明】
【技術分野】
【０００１】
(関連出願)
本願は、発明者Armen Avoyan及びSeyer Jafar Jafarian-Tehraniの名前でかつここに共通して選定された２００２年９月２６日に出願した、米国仮特許出願第６０/４１４，１０８号の利益を主張する。
【０００２】
本発明は、電子デバイスの製造に関する。より特定的には、本発明は、プラズマ処理システムを確認する方法及びシステムに関する。
【背景技術】
【０００３】
プラズマ・エッチング及び反応イオン・エッチングのような、電離気体による様々な形式の処理は、半導体デバイス製造の分野で特に重要性が増大している。特に興味があるのは、エッチング処理で用いられるデバイスである。静電容量及び誘電結合されたプラズマ・エッチング・システムは、半導体デバイスの処理及び製造で用いられうる。プラズマ処理システムは、その中にプラズマ・チャンバを有しているプラズマ・リアクタを一般的に含む。ＲＦ発電機は、プラズマ・チャンバにＲＦ電力を供給する。
【０００４】
プラズマ形成の主推進力として、ＲＦ周波数及び電力は、最も注意深く制御されるパラメータであるべきである。残念ながら、これは、ほとんど一般的にはそうではない。例えば、図１は、電子デバイス及び製造リアクタに対するＲＦ電力を生成するＲＦネットワーク１０を示す。特に、ＲＦプラズマ発生を生成するために、ＲＦ発電機１２は、ケーブル１６を介してローカル自動化整合ネットワーク１４に接続する。ローカル自動化整合ネットワーク１４から、機械的ＲＦ接続１８は、処理チャンバ２０に進む。処理チャンバ２０は、ＲＦプラズマを生成するためにプラズマ・シース２６内の処理気体２４に影響を及ぼす陰極（カソード）２２を含む。
【０００５】
ＲＦネットワーク１０では、一定の制限が存在する。例えば、ＲＦ発電機１２は、ソリッドステート（固体素子）技術を含んでいるが、まだ、クリーン・ルーム空間の望ましくないアバウト(undesirable about)を消費する大きくて扱いにくいシステムである。結果として、ＲＦネットワーク１０の性能は、発電機配置による設置従属性によって時々不利な影響を及ぼされる。ローカル自動化整合ネットワーク１４の目的は、ＲＦ発電機１２と処理チャンバ２０（ＲＦ負荷）との間の大きく異なるインピーダンスを整合することによってＲＦ発電機１２からプラズマ処理気体２４のＲＦ負荷へのＲＦ電力の効率的転送を提供することである。
【０００６】
ＲＦネットワーク１０の更なる制限は、処理チャンバ２０自体に関する。処理チャンバ２０内では、半導体ウェハのような、電子装置は、エッチまたは堆積のような所望の結果を達成するために配置されかつ処理される。処理チャンバ２０に関しては、二つの重要な制限が存在する。まず第１に、ローカル自動化整合ネットワーク１４による既知の設置依存性及び変化性によっても、ＲＦ電力は、ＲＦ発電機１２で行なわれる測定に基づき主に制御される。所与の電力レベルに対するＲＦ発電機１２が電圧、電流及び位相角の３つの変数で構成されていても、既知のシステムは、ワットの単位だけでＲＦ電力を一般に測定しかつ制御する。
【発明の開示】
【発明が解決しようとする課題】
【０００７】
プラズマ処理チャンバに関連付けられた多くのその他の問題が存在しうる。プラズマ処理チャンバは、チャンバ磨耗及びポリマー堆積により長い使用期間の後に同じ結果を生成しえない。また、不適当なハードウェア・アセンブリ及び不適切なトルク要件のようなその他の問題もプラズマ処理チャンバに一貫性していない歩留り(inconsistent yields)を生成させる。
【０００８】
プラズマ処理チャンバの一貫性した結果(consistent results)を保持するために、チャンバ・ハードウェア部品の正しいアセンブリを確認しかつチャンバ・プラズマ処理システムをトラブルシュート（故障診断修理）するために高速かつ正確な方法に対する必要性が存在する。
【課題を解決するための手段】
【０００９】
方法は、チャンバ、ＲＦ電源、及び整合ネットワークを有しているプラズマ処理システムを試験する。ＲＦ電力信号は、チャンバ内のプラズマに点火することなくＲＦ電源からチャンバに生成される。チャンバによって受け取られたＲＦ電源信号の電圧、ＲＦ電源信号の電流、及びＲＦ電源信号の位相が測定され、同時にチャンバに影響を及ぼすその他のパラメータを一定に保持する。チャンバのインピーダンスを表す値は、電圧、電流、及び位相に基づき計算される。次いで、値は、プラズマ処理システムにおける欠陥を決定するために基準値と比較される。基準値は、欠陥なしチャンバのインピーダンスを表す値である。
【００１０】
本明細書に組み込まれかつその一部を構成する添付した図面は、本発明の一つ以上の実施形態を示し、かつ詳細な説明と一緒に、本発明の原理及び実施形態を説明する役割を果たす。
【発明を実施するための最良の形態】
【００１１】
本発明の実施形態をプラズマ処理システムに関連してここに説明する。当業者は、本発明の以下の詳細な説明が説明だけのためでありかつあらゆる方法において限定することを意図しないということを認識するであろう。本発明のその他の実施形態は、この開示の利益を有する当業者に対してそれら自体を容易に提案するであろう。参照は、添付図面に示したような本発明の実施形態に対して詳細にここでなされるであろう。同じ参照番号は、同じかまたは類似する部分を参照するために図面及び以下の詳細な説明を通して用いられる。
【００１２】
明瞭のために、ここに説明する実施形態の決まりきった機能的特徴の全ては、示されていないしかつ説明されていない。勿論、そのような実際の実施形態の研究において、アプリケーション-及びビジネス-関連制約の遵守のような、研究者の特定の目標を達成するために多数の実施形態―特定決定が成されなければならないし、かつこれら特定の目標が一実施形態から別の実施形態に対してかつ一人の研究者から別の研究者に対して変化するということが理解されるであろう。更に、そのような研究成果が複雑でありかつ時間が掛かるが、しかしそれにも係わらずこの開示の利益を有する当業者に対してエンジニアリングの決まりきった仕事であるということが理解されるであろう。
【００１３】
本発明の一実施形態によれば、構成要素、処理段階、及び/又はデータ構造は、様々な種類のオペレーティング・システム（ＯＳ）、コンピューティング・プラットフォーム、ファームウェア、コンピュータ・プログラム、コンピュータ言語、及び/又は汎用マシンを用いて実施されうる。方法は、処理回路で実行されるプログラム処理として実行することができる。処理回路は、プロセッサとオペレーティング・システムの多数の組合せ、または独立（スタンドアロン）装置の形を取ることができる。処理は、そのようなハードウェア、ハードウェア単独、またはそれらの組合せによって実行される命令として実施することができる。ソフトウェアは、マシンによって読取り可能なプログラム記憶装置に記憶されうる。
【００１４】
更に、当業者は、ここに開示された発明の概念の適用範囲及び精神から逸脱することなく、ハードワイヤード装置、フィールドプログラマブルゲート・アレイ（FPGAs）及び複合プログラマブル論理装置（CPLDs）を含んでいる、フィールドプログラマブル論理装置（FPLDs）、専用（特定用途向け）集積回路（ASICs）、等のような、低汎用特質の装置を用いうるということを認識するであろう。
【００１５】
本発明によれば、方法は、パーソナル・コンピュータ、ワークステーション・コンピュータ、メインフレーム・コンピュータ、またはPalo Alto, California（米国カリフォルニア州パロ・アルト）のSun Microsystems, Inc.（サン・マイクロシステムズ社）から市販されているSolaris（登録商標）、Redmond, Washington（米国ワシントン州レッドモンド）のMicrosoft Corporation（マイクロソフト社）から市販されているMicrosoft（登録商標） Windows（登録商標）XP及びWindows（登録商標）2000のようなＯＳ、または多数のベンダから市販されているLinuxのようなＵｎｉｘ（登録商標）オペレーティング・システムの様々なバージョンを実行する高性能サーバのようなデータ処理コンピュータ上で実施されうる。また方法は、多重プロセッサ・システム上でも、または入力装置、出力装置、表示装置、ポインティング装置、メモリ、記憶装置、データをプロセッサとの間で転送するためのメディア・インターフェイス、等のような様々な周辺装置を含んでいるコンピューティング環境においても実施されうる。更に、そのようなコンピュータ・システムまたはコンピューティング環境は、ローカル的に、またはインターネット上でネットワークされうる。
【００１６】
図２は、本発明の一実施形態によるプラズマ処理システムを確認するシステム２００を概略的に示す図である。システム２００において、無線周波数（ＲＦ）電力発電機２０２は、ＲＦ電力をプラズマ処理チャンバ２０６内に配置された下部電極２０４に供給する。ＲＦ電流は、下部電極２０４と上部接地電極２０５との間を流れうる。本発明の一実施形態によれば、ＲＦ電力発電機２０２は、例えば、２ＭＨｚ及び２７ＭＨｚを発生する二重（デュアル）周波数発電機でありうる。上に示した例が限定することを意図しないしかつここに開示された本発明の概念から逸脱することなくその他の周波数を用いうるということを当業者は、理解するであろう。
【００１７】
整合ネットワーク２０８は、ＲＦ電力発電機２０２をチャンバ２０６に接続する。ＲＦ電力発電機２０２からチャンバ２０６（ＲＦ負荷）へのＲＦ電力の効率的な転送を供給するために、整合ネットワーク２０８は、ＲＦ電力発電機２０２とチャンバ２０６との間のインピーダンスを整合する。その全てが最小反射電力に同調することによって動作する、整合ネットワーク２１０に対する様々な設計が存在するということを当業者は、認識するであろう。
【００１８】
センサ２１０は、チャンバ２０６と整合ネットワーク２０８との間で、チャンバ２０６の入力においてシステム２００に接続される。センサ２１０は、チャンバ２０６によって受信されたＲＦ電力信号の電圧、電流、及び位相角を測定する。本発明の一実施形態によれば、センサ２１０は、例えば、電圧/電流プローブ（ＶＩプローブ）またはネットワーク・アナライザでありうる。多くの種類の電圧、電流、及び位相角センサを本発明に適用しうるということを当業者は、認識するであろう。
【００１９】
コンピュータ・システム２１２は、センサ２１０から測定されたデータ（電圧、電流、及び位相角）を受け取る。コンピュータ・システム２１２は、受け取ったデータを解析することによってプラズマ処理システムが欠陥なしかどうか及びチャンバ・ハードウェア部品が正しく組立てられているかどうかをユーザに確認させる。コンピュータ・システム２１２内のアルゴリズムは、図４のフロー図を参照して以下に更に説明する。図３は、本発明の形態を実施するために適するコンピュータ・システム３００のブロック図を示す。図３に示すように、コンピュータ・システム３００は、中央処理装置３０４、システム・メモリ３０６（一般的にＲＡＭ）、入出力（Ｉ/Ｏ）制御装置３０８、表示アダプタ３１２を介する表示画面３１０のような外部装置、シリアル・ポート３１４及び３１６、キーボード３１８、固定ディスク・ドライブ３２０、フロッピー（登録商標）・ディスク３２４を受け取るように動作するフロッピー（登録商標）・ディスク・ドライブ３２２、及びＣＤ−ＲＯＭ３２８を受け取るように動作するＣＤ−ＲＯＭプレイヤ３２６のような主要なサブシステムを相互接続するバス（母線）３０２を含む。システム・メモリ３０６は、図４に示したアルゴリズムを含みうる。シリアル・ポート３１４を介して接続された位置指示装置（ポインティング装置）３３０（例えば、マウス）及びシリアル・ポート３３０を介して接続されたモデム３３２のような、多くの他の装置を接続することができる。モデム３３２は、電話リンクを介して遠隔サーバにまたはＰＯＰ(point of presence)を介してインターネットに直接接続を供給しうる。代替的に、ネットワーク・インターフェイス・アダプタ３３４は、当業者に知られたネットワーク・インターフェイス・システム（例えば、Ethernet（登録商標）、xDSL、AppleTalk（登録商標））を用いてローカルまたはワイド・エリア・ネットワークにインターフェイスするために用いうる。
【００２０】
多くの他の装置またはサブシステム（図示省略）は、同様な方法で接続しうる。また、以下に説明するように、本発明を実施するために図３に示す装置の全てが存在する必要はない。更に、装置及びサブシステムは、図３に示した方法とは異なる方法で相互接続されうる。図３に示すようにコンピュータ・システムの動作は、この技術分野で容易に知られており、本説明を過剰に複雑にしないように、本出願では詳細に説明しない。本発明を実施するためのコードは、システム・メモリ３０６に実施可能に配置されうるかまたは固定ディスク３２０、フロッピー（登録商標）・ディスク３２４またはＣＤ−ＲＯＭ３２８のような記憶媒体に記憶されうる。
【００２１】
図４は、本発明の一実施形態に従ってプラズマ処理システムをトラブルシュート（故障診断修理）するための方法を概略的に示すフロー図である。４０２から開始すると、約０ｍＴｏｒｒ（ミリ・トル）の圧力でチャンバ２０６に真空が生成される。チャンバ２０６は、処理すべきウェハまたは流れる気体なしの“クリーン”チャンバでありうる。４０４において、ＲＦ電力信号が流れる気体なしでチャンバで生成されている。例えば、２ＭＨｚまた２７ＭＨｚにおける、約１０ワット（Ｗａｔｔｓ）以下のような低電力は、プラズマを点火（発火）することなくチャンバ２０６を通して生成されうる。４０６において、センサ２１０は、プラズマなしチャンバ２０６で受け取ったＲＦ電力信号の電圧、電流、及び位相角を測定する。４０８において、コンピュータ・システム２１２は、ＲＦ電力信号の測定された電圧、電流、及び位相角を受け取りかつ記録する。コンピュータ・システム２１２は、測定されたデータからチャンバ・インピーダンスを計算する。
【００２２】
チャンバのインピーダンスは、（フォワード・パワー）ＲＦ電力発電機２０２からの交流電流と抵抗及びリアクタンス（チャンバ部品）との間の相互作用に関する複合量であるということを当業者は、認識するであろう。以下の式は、上記の関係を示す：
【００２３】
【数１】
2006501611.tif 000003
【００２４】
【数２】
2006501611.tif 000004
【００２５】
【数３】
2006501611.tif 000005
【００２６】
【数４】
2006501611.tif 000006
ここで、Ｚはチャンバのインピーダンス、Ｒは抵抗、Ｘはリアクタンス、θは位相角、Ｖは測定された電圧、そしてＩは測定された電流である。
【００２７】
チャンバ・インピーダンスは、例えば、気体の圧力、気体の種類、ＲＦ電力、壁の状態、気体の圧力、ＲＦアース、ウェハの種類、ウェハの配置、及び電力カップリングのような、多くの要因によって影響を及ぼされうる。従って、チャンバ壁の重合または様々な処理チャンバ構成要素の成分の陽極酸化処理コーティングの磨耗のような、あらゆる変化がＲＦ負荷で発生した場合には、電圧及び電流が変化し、従ってチャンバのインピーダンスが変化する。
【００２８】
チャンバ２０６が真空に設定されるので、真空チャンバを通るＲＦ電力信号の位相角θは、約９０°である。位相角θが約９０°なので、抵抗Ｒは、約ゼロである。従って、チャンバのインピーダンスは、ほとんどリアクタンスである。計算された値は、インピーダンスの絶対値を表しうる。
【００２９】
４１０において、コンピュータ・システムは、欠陥が存在するかどうかを決定するために計算されたチャンバ・インピーダンスをインピーダンス・ベースラインと比較する。インピーダンス・ベースラインは、製造時における真空における同じ種類のプラズマ処理チャンバの平均インピーダンスである。説明の目的のために、無プラズマ・チャンバの平均インピーダンスは、例えば、１５Ωでありうる。同じ種類の無プラズマ・チャンバの測定されたインピーダンスが１５Ωの少なくとも約１０％以上ずれている、例えば、１９Ωの場合には、可能な欠陥が存在しうる。その場合には、４１２において、チャンバは、欠陥に対して検査する必要がある。可能がある欠陥は、それに限定されないが、以下のものを含みうる：不適当なハードウェア・アセンブリ、不適切なトルク要件、使用した低水準部品、紛失しているハードウェア部品、チャンバ・ウェアー（消耗）及びアーキング、ポリマー堆積。４１４において可能がある問題を識別しかつフィックスした後、故障診断修理処理は、システムを確認するために４０２において繰り返されうる。
【００３０】
ツールマッチングは、製造された全てのプラズマ・チャンバが欠陥なしであるということを保証するために必要でありうる。一つは、同じモデル、種類、または設計の全ての処理チャンバのチャンバ・インピーダンスを比較することによって、あらゆる欠陥プラズマ・チャンバを識別することが可能でありうる。図５は、本発明の一実施形態に従ってプラズマ処理システムをツールマッチする方法を概略的に示すフロー図である。５０２で開始すると、真空は、例えば、約０ｍＴｏｒｒの圧力で各チャンバ２０６において生成される。各チャンバ２０６は、処理すべきウェハまたは流れる気体なしの“クリーン”チャンバでありうる。５０４において、ＲＦ電力信号が各チャンバを通って流れる気体なしで、即ちプラズマなしで各チャンバにおいて生成される。例えば、２ＭＨｚまたは２７ＭＨｚにおいて、約１０ワット（Ｗａｔｔｓ）以下のような、低い電力は、プラズマを発火（点火）することなく各チャンバ２０６を通して生成されうる。５０６において、各チャンバ・センサ２１０は、各無プラズマ・チャンバ２０６で受け取ったＲＦ電力信号の電圧、電流、及び位相角を測定する。５０８において、各チャンバ・コンピュータ・システム２１２は、ＲＦ電力信号の測定された電圧、電流、及び位相角を受け取りかつ記録する。各チャンバ・コンピュータ・システム２１２は、測定されたデータからチャンバ・インピーダンスを計算する。
【００３１】
チャンバ２０６が真空に設定されるので、真空チャンバを通るＲＦ電力信号の位相角θは、約９０°である。位相角θが約９０°なので、抵抗Ｒは、約ゼロである。従って、チャンバのインピーダンスは、ほとんどリアクタンスである。計算された値は、インピーダンスの絶対値を表しうる。
【００３２】
５１０において、コンピュータ・システムは、欠陥が存在するかどうかを決定するために各チャンバのインピーダンスを比較する。説明の目的のために、２７ＭＨｚのＲＦ電力信号を有するプラズマなしの同じ種類のいくつかのチャンバの計算されたインピーダンスは、１５．８Ω、１９．２Ω、１４．９Ω、１６．２Ω、１５．９Ωでありうる。チャンバの計算されたインピーダンスが計算されたインピーダンスの中間（中央値）の少なくとも１０％以上ずれている場合には、可能な欠陥が存在しうる。上記の説明において、１９．２Ωの計算されたインピーダンスを有するチャンバは、可能な欠陥に対して検査されることが必要である。その場合には、５１２において、上記チャンバは、可能な欠陥に対してチャックされることが必要である。可能がある欠陥は、以下のものに限定されないが、それらを含みうる：不適当なハードウェア・アセンブリ、不適切なトルク要件、使用した低水準部品、紛失しているハードウェア部品、チャンバ・ウェアー（消耗）及びアーキング、ポリマー堆積。５１４において可能がある問題を識別しかつフィックスした後、ツールマッチング処理は、全てのチャンバが欠陥なしであるということを確認するために５０２において繰り返されうる。
【００３３】
本発明の実施形態及び応用を示しかつ説明したが、ここに示した本発明の概念から逸脱することなく上記したよりも多くの変更が可能であるということは、この開示の利益を有する当業者にとって明らかであろう。従って、本発明は、添付した特許請求の範囲の精神において以外には限定されるべきではない。
【図面の簡単な説明】
【００３４】
【図１】図１は、プラズマ・エッチング装置内にプラズマ処理環境を設定するための通常のＲＦネットワークを概略的に示す図である。
【図２】図２は、本発明の一実施形態に従ってプラズマ処理システムを確認するためのシステムを概略的に示す図である。
【図３】図３は、本発明の形態を実施するために適するコンピュータ・システムのブロック図である。
【図４】図４は、本発明の一実施形態に従ってプラズマ処理システムを確認するための方法を概略的に示すフロー図である。
【図５】図５は、本発明の一実施形態に従ってプラズマ処理システムをツールマッチングするための方法を概略的に示すフロー図である。
【符号の説明】
【００３５】
２００  プラズマ処理システムを確認するシステム
２０２  ＲＦ電源
２０４  下部電極
２０５  上部接地電極
２０６  プラズマ処理チャンバ
２０８  整合ネットワーク
２１０  プローブ
２１２  コンピュータ・システム
【図１】
2006501611.tif 000007
【図２】
2006501611.tif 000008
【図３】
2006501611.tif 000009
【図４】
2006501611.tif 000010
【図５】
2006501611.tif 000011
【国際調査報告】
2006501611.tif 000012
2006501611.tif 000013
2006501611.tif 000014